(57)【要約】【課題】電界伝達媒体に誘起されている電界に基づいた情報を受信することにより、上記電界伝達媒体を介した情報の受信が可能なトランシーバであって、トランシーバが誘起させる送信用の電界の向きを気にしないで、受信用のトランシーバを使用することができるようにしたことを目的としたものである。【解決手段】生体１００に誘起された電界に係る電気信号の傾きが反転しているか否かを判定し（１５）、反転している場合には、反転回路１１で反転させた電気信号をウェアラブルコンピュータ１へ出力するように選択部１３を制御する。【選択図】　　　図１
2004134996.tif 000002
【特許請求の範囲】
【請求項１】
電界伝達媒体に誘起されている電界に基づいた情報を受信することにより、前記電界伝達媒体を介した情報の受信が可能なトランシーバであって、
前記電界伝達媒体に誘起して伝達されてくる電界を検出し、当該電界を受信情報として電気信号に変換する電界検出手段と、
前記電界検出手段により変換した電気信号を信号処理する信号処理手段と、
前記信号処理手段によって信号処理した電気信号の波形を反転する反転手段と、
前記信号処理手段から出力された電気信号と前記反転手段によって反転されてから出力された電気信号のうちのいずれか一方を選択して外部機器へ出力する選択手段と、
前記信号処理手段から出力された電気信号の傾きが予め定められている傾きに対して反転しているか否かを判定する反転判定手段と、
前記反転判定手段による判定結果に基づいて前記選択手段の選択処理を制御する選択制御手段と、
を有することを特徴とするトランシーバ。
【請求項２】
電界伝達媒体に誘起されている電界に基づいた情報を受信することにより、前記電界伝達媒体を介した情報の受信が可能なトランシーバであって、
前記電界伝達媒体に絶縁体を挟んで当接された受信電極及びグランド電極のうちで選択的に一方の電極に接続可能な第１の電極と、当該第１の電極が接続されていない他方の電極に接続可能な第２の電極とが設けられ、前記電界伝達媒体に電界が誘起して伝達されてくることにより、前記第１及び第２の電極の間に入射されたレーザ光の偏光を変化させることが可能な電気光学手段と、
前記受信電極及びグランド電極に対する第１の電極と第２の電極の接続を切り替える接続切替手段と、
前記電気光学手段によるレーザ光の偏光変化量を強度変化に変換する偏光検出光学手段と、
前記偏光検出光学手段によるレーザ光の強度変化に基づき前記伝達されてきた電界を受信信号として電気信号に変換する光電気変換手段と、
前記光電気変換手段により変換した電気信号を信号処理する信号処理手段と、前記信号処理手段から出力された電気信号の傾きが予め定められている傾きに対して反転しているか否かを判定する反転判定手段と、
前記反転判定手段による判定結果に基づいて前記接続切替手段の接続切り替え処理を制御する接続切替制御手段と、
を有することを特徴とするトランシーバ。
【請求項３】
前記反転判定手段は、前記信号処理手段から出力された電気信号のパケットの先頭の波形の傾きに基づいて、前記電気信号の傾きが予め定められている傾きに対して反転しているか否かを判定することを特徴とする請求項１又は２に記載のトランシーバ。
【発明の詳細な説明】
【０００１】
【発明の属する技術分野】
本発明は、例えばウェアラブルコンピュータ間のデータ通信のために使用されるトランシーバに関し、更に詳しくは、送信すべき情報に基づいた電界を電界伝達媒体に誘起させる一方で、前記電界伝達媒体に誘起されている電界に基づいた情報を受信することにより、前記電界伝達媒体を介した情報の送受信が可能なトランシーバに関する。
【０００２】
【従来の技術】
近年、衣服のように人体に着けて、操作及び使用することができるという新しい概念のコンピュータが注目されている。このコンピュータは、ウェアラブルコンピュータ（Ｗｅａｒａｂｌｅ　Ｃｏｍｐｕｔｅｒ）と呼ばれ、携帯端末の小型化および高性能化により実現が可能となった。
【０００３】
また、複数のウェアラブルコンピュータ間のデータ通信を人間の腕、肩、胴体等の人体（生体）を介して行う技術の研究も進んでおり、この技術は既に特許文献等で提案されている（例えば、特許文献１参照）。図４は、このような人体を介して複数のウェアラブルコンピュータ間通信を行う場合のイメージ図を示している。同図に示すように、ウェアラブルコンピュータ１は、これに当接されたトランシーバ３’とにより一組（セット）を構成しており、他のウェアラブルコンピュータ１とトランシーバ３’の組に対して、人体を介することによりデータ通信を行うことができる。また、ウェアラブルコンピュータ１は、人体に装着しているウェアラブルコンピュータ１以外のＰＣ（パーソナルコンピュータ）５と壁等に設置されているトランシーバ３’ａの組や、このＰＣ５と床等に設置されているトランシーバ３’ｂの組とのデータ通信もそれぞれ可能である。但し、この場合のＰＣ５は、ウェアラブルコンピュータ１とトランシーバ３’のように互いに当接されておらず、ケーブル４を介してトランシーバ３’ａ，３’ｂと接続されている。
【０００４】
また、人体を介して行うデータ通信に関しては、レーザ光と電気光学結晶を用いた電気光学的手法による信号検出技術を利用し、送信すべき情報（データ）に基づく電界を人体（電界伝達媒体）に誘起させると共に、この人体に誘起された電界に基づく情報を受信することにより、情報の送受信を行っている。この人体を介したデータ通信の技術については、図５を用いて更に詳しく説明する。
【０００５】
図５は、人体（生体１００）を介したデータ通信を行うために用いるトランシーバ３’の全体構成図である。図５に示すように、トランシーバ３’は、送信電極１０５および受信電極１１１がそれぞれ絶縁膜１０７，１０９を介して生体１００に接触した状態で使用される。そして、トランシーバ３’は、ウェアラブルコンピュータ１から供給されたデータをＩ／Ｏ（入出力）回路１０１を介して受信し、送信部１０３に送信する。送信部１０３では、送信電極１０５から絶縁膜１０７を介して電界伝達媒体である生体１００に電界を誘起させ、この電界を生体１００を介して生体１００の他の部位に装着されている別のトランシーバ３’に伝達させる。
【０００６】
また、トランシーバ３’は、生体１００の他の部位に装着された別のトランシーバ３’から生体１００に誘起して伝達されてくる電界を絶縁膜１０９を介して受信電極１１１で受信する。この受信した電界を電界検出光学部１１０で電気光学結晶に結合（印加）して電気信号に変換してから信号処理回路１１５に送信する。信号処理回路１１５では、送信されてきた電気信号の増幅及び雑音除去等の信号処理を行った後、波形整形回路１１７に送信する。波形整形回路１１７では、送信されてきた電気信号の波形整形（信号処理）を施し、入出力回路１０１を介してウェアラブルコンピュータ１に供給する。
【０００７】
例えば、図４に示すように、右腕に装着したウェアラブルコンピュータ１は、トランシーバ３’により送信データに係る電気信号を電界として電界伝達媒体である生体１００に誘起させ、波線で示すように電界として生体１００の他の部位に伝達する。一方、左腕に装着したウェアラブルコンピュータ１では、生体１００から伝達されてくる電界をトランシーバ３’により電気信号に戻してから、受信データとして受信することができる。
【０００８】
また、トランシーバ３’により電気信号に戻す処理は、レーザ光と電気光学結晶を用いた電気光学的手法により電界を検出する電界検出光学部１１０によって行う。この電界検出光学部１１０は、図６に示すように、電流源１１９、レーザダイオード１２１、電気光学素子（電気光学結晶）１２３、第一及び第二波長板１３５，１３７、偏光ビームスプリッタ１３９、複数のレンズ１３３，１４１ａ，ｂ、フォトダイオード１４３ａ，ｂ、並びにグランド電極１３１により構成されている。尚、信号電極１２９は、図５に示すような形態のトランシーバ３’においては、受信電極１１１に相当するものである。
【０００９】
このうち、電気光学素子１２３は、レーザダイオード１２１からのレーザ光の進行方向に対して直角方向に結合される電界にのみ感度を有し、この電界強度によって光学特性、すなわち複屈折率が変化し、この複屈折率の変化によりレーザ光の偏光を変化させるように構成されている。電気光学素子１２３の図上で上下方向に対向する両側面には、第１電極１２５と第２電極１２７が設けられている。この第１電極１２５および第２電極１２７は、レーザダイオード１２１からのレーザ光の電気光学素子１２３内における進行方向を両側から挟み、レーザ光に対して電界を直角に結合させることができる。
【００１０】
また、電界検出光学部１１０は、第１電極１２５を介して信号電極１２９（受信電極１１１）に接続されている。第１電極１２５に対向する第２電極１２７は、グランド電極１３１に接続されており、第１電極１２５に対してグランド電極として機能するように構成されている。そして、信号電極１２９は、生体１００に誘起されて伝達されてくる電界を受信し、この電界を第１電極１２５に伝達し、第１電極１２５を介して電気光学素子１２３に結合することができる。
【００１１】
一方、電流源１１９の電流制御によりレーザダイオード１２１から出力されるレーザ光は、コリメートレンズ１３３を介して平行光にされ、平行光となったレーザ光は第１波長板１３５で偏光状態を調整されて、電気光学素子１２３に入射する。電気光学素子１２３に入射されたレーザ光は、電気光学素子１２３内で第１、第２電極１２５，１２７の間を伝播するが、このレーザ光の伝播中において上述したように信号電極１２９が生体１００に誘起されて伝達されてくる電界を受信し、この電界を第１電極１２５を介して電気光学素子１２３に結合すると、この電界は第１電極１２５からグランド電極１３１に接続されている第２の電極１２７に向かって形成される。この電界は、レーザダイオード１２１から電気光学素子１２３に入射したレーザ光の進行方向に直角であるため、電気光学素子１２３の光学特性である複屈折率が変化し、これによりレーザ光の偏光が変化する。
【００１２】
次に、電気光学素子１２３において第１電極１２５からの電界によって偏光が変化したレーザ光は、第２波長板１３７で偏光状態を調整されて偏光ビームスプリッタ１３９に入射する。偏光ビームスプリッタ１３９は、第２波長板１３７から入射されたレーザ光をＰ波およびＳ波に分離して、光の強度変化に変換する。この偏光ビームスプリッタ１３９でＰ波成分およびＳ波成分に分離されたレーザ光は、それぞれ第１、第２の集光レンズ１４１ａ，１４１ｂで集光されてから、第１、第２のフォトダイオード１４３ａ，１４３ｂで受光され、第１、第２のフォトダイオード１４３ａ，１４３ｂにおいてＰ波光信号とＳ波光信号をそれぞれの電流信号に変換して出力することができる。尚、上述したように第１、第２のフォトダイオード１４３ａ，１４３ｂから出力される電流信号は、抵抗を用いて電圧信号に変換されてから、図５に示す信号処理回路１１５で増幅及び雑音除去の信号処理を施され、波形整形回路１１７で波形整形の信号処理を施されてから、入出力回路１０１を介してウェアラブルコンピュータ１に供給されることになる。
【００１３】
【特許文献１】
特開２００１−３５２２９８号公報（第４−５頁、第１−５図）
【００１４】
【発明が解決しようとする課題】
ところで、図７に示すように、トランシーバ３’は、生体１００に誘起させるための送信用電界だけでなく、反対方向に送信用電界とは逆位相の電界を誘起している。そのため、図４に示す場合とは逆に、ウェアラブルコンピュータ１側を人体に当接させた場合には、人体（生体１００）に逆位相の電界が誘起されてしまう。このため、従来、予め定めた位相とは逆位相の電界が誘起して送信されてきた場合に、トランシーバ３’は情報の送受信を行わないように構成されていた。
【００１５】
しかしながら、例えば、人間がウェアラブルコンピュータ１側を人体に接するように衣服のポケットに入れる場合のように、図４に示す場合とは逆に当接させる場合も少なくない。このように、逆向きに当接させる場合が少なくないにも拘わらず、その度にトランシーバ３’による情報の送受信を止めていたのでは、使用者にとって非常に不便である。
【００１６】
本発明は上述した事情を鑑みてなされたものであり、誘起させる電界の向きを気にしないでトランシーバを使用することができるようにしたことを目的としたものである。
【００１７】
【課題を解決するための手段】
上記目的を達成するため、請求項１に係る発明は、電界伝達媒体に誘起されている電界に基づいた情報を受信することにより、前記電界伝達媒体を介した情報の受信が可能なトランシーバであって、前記電界伝達媒体に誘起して伝達されてくる電界を検出し、当該電界を受信情報として電気信号に変換する電界検出手段と、前記電界検出手段により変換した電気信号を信号処理する信号処理手段と、前記信号処理手段によって信号処理した電気信号の波形を反転する反転手段と、前記信号処理手段から出力された電気信号と前記反転手段によって反転されてから出力された電気信号のうちのいずれか一方を選択して外部機器へ出力する選択手段と、前記信号処理手段から出力された電気信号の傾きが予め定められている傾きに対して反転しているか否かを判定する反転判定手段と、前記反転判定手段による判定結果に基づいて前記選択手段の選択処理を制御する選択制御手段と、を有することを特徴とするトランシーバである。
【００１８】
請求項２に係る発明は、電界伝達媒体に誘起されている電界に基づいた情報を受信することにより、前記電界伝達媒体を介した情報の受信が可能なトランシーバであって、前記電界伝達媒体に絶縁体を挟んで当接された受信電極及びグランド電極のうちで選択的に一方の電極に接続可能な第１の電極と、当該第１の電極が接続されていない他方の電極に接続可能な第２の電極とが設けられ、前記電界伝達媒体に電界が誘起して伝達されてくることにより、前記第１及び第２の電極の間に入射されたレーザ光の偏光を変化させることが可能な電気光学手段と、前記受信電極及びグランド電極に対する第１の電極と第２の電極の接続を切り替える接続切替手段と、前記電気光学手段によるレーザ光の偏光変化量を強度変化に変換する偏光検出光学手段と、前記偏光検出光学手段によるレーザ光の強度変化に基づき前記伝達されてきた電界を受信信号として電気信号に変換する光電気変換手段と、前記光電気変換手段により変換した電気信号を信号処理する信号処理手段と、前記信号処理手段から出力された電気信号の傾きが予め定められている傾きに対して反転しているか否かを判定する反転判定手段と、前記反転判定手段による判定結果に基づいて前記接続切替手段の接続切り替え処理を制御する接続切替制御手段と、を有することを特徴とするトランシーバである。
【００１９】
請求項３に係る発明は、前記反転判定手段は、前記信号処理手段から出力された電気信号のパケットの先頭の波形の傾きに基づいて、前記電気信号の傾きが予め定められている傾きに対して反転しているか否かを判定することを特徴とする請求項１又は２に記載のトランシーバである。
【００２０】
【発明の実施の形態】
本発明の実施形態に係るトランシーバは、送信すべき情報に基づいた電界を電界伝達媒体（生体１００等）に誘起させる一方で、電界伝達媒体に誘起されている電界に基づいた情報を受信することにより、電界伝達媒体を介した情報の送受信が可能なトランシーバである。以下、第１乃至第２の実施形態に係るトランシーバ３１〜２について説明する。
【００２１】
〔第１の実施形態〕
以下、図１及び図２を用いて、本発明の第１の実施形態について説明する。図１は、第１の実施形態に係るトランシーバ３１の全体構成図である。図２（ａ）は、生体１００に誘起した送信用の電界に係る電気信号の波形を示した図である。図２（ｂ）は、図２（ａ）に示した電界に係る電気信号を電界検出光学部１１０で検出し、信号処理した後に出力された電気信号の波形を示した図である。図２（ｃ）は、図２（ａ）に示した電界とは逆位相の電界に係る電気信号の波形を示した図である。図２（ｄ）は、図２（ｃ）に示した電界に係る電気信号を電界検出光学部１１０で検出し、信号処理した後に出力された電気信号の波形を示した図である。尚、従来と同じ機能及び構成に関しては、同一符号を付しているが、ここで改めて説明する。
【００２２】
図１に示すように、トランシーバ３１は、Ｉ／Ｏ（入出力）回路１０１、送信部１０３、送信電極１０５、絶縁膜１０７，１０９、受信電極１１１、電界検出光学部１１０、信号処理回路１１５、及び波形整形回路１１７を有している点は、従来のトランシーバ３’と同様である。更に、本実施形態のトランシーバ３１は、反転回路１１、選択部１３、データ反転判定部１５、及び制御信号発生部１７を有している。
【００２３】
このうち、Ｉ／Ｏ回路１０１は、トランシーバ３１がウェアラブルコンピュータ１等の外部機器との情報（データ）の入出力を行う回路である。送信部１０３は、Ｉ／Ｏ回路１０１から出力される情報（データ）に基づき、この情報に係る電界を生体に誘起させる送信回路によって構成されている。送信電極１０５は、送信部１０３により生体１００に対して電界を誘起するために使用する電極であり、送信用アンテナとして使用される。絶縁膜１０７は、送信電極１０５と生体１００との間に配置する絶縁体の膜であり、送信電極１０５が直接生体１００に接触することを防ぐ役割を果たす。
【００２４】
また、受信電極１１１は、生体１００の他の部分に装着されているウェアラブルコンピュータ１及びトランシーバ３やＰＣ５及びトランシーバ３ａ，３ｂから生体１００に誘起して伝達されてくる電界を受信するために使用する電極であり、受信用アンテナとして使用される。絶縁膜１０９は、上記絶縁膜１０７と同様に、受信電極１１１と生体１００との間に配置された絶縁体の膜である。
【００２５】
更に、電界検出光学部１１０は、受信電極１１１で受信した電界を検出し、この電界を受信情報として電気信号に変換する機能を有している。また、信号処理回路１１５は、電界検出光学部１１０から送信されてきた電気信号（アナログの電圧信号）の増幅及び雑音除去等の信号処理を行う回路である。このアナログの電圧信号は、波形整形回路１１７に出力されると共にデータ反転判定部１５に対しても出力される。また、波形整形回路１１７は、信号処理回路１１５から送信されてきたアナログの電圧信号の波形整形（信号処理）を施してデジタル信号に変換するための回路である。このデジタル信号は、反転回路１１に出力されると共に選択部１３に出力される。
【００２６】
また、反転回路１１は、上記デジタル信号の波形を反転するための回路であり、反転後のデジタル信号を選択部１３へ出力することができる。選択部１３は、波形整形回路１１７から出力されたデジタル信号と上記反転回路１１によって反転されてから出力された反転デジタル信号のうちのいずれか一方を選択し、Ｉ／Ｏ回路１０１を介してウェアラブルコンピュータ１に供給する機能を有している。
【００２７】
また、データ反転判定部１５は、信号処理回路１１５から出力されたアナログ信号の傾きが予め定められている傾きに対して反転しているか否かを判定する機能を有している。この判定処理は、信号処理回路１１５から出力されたアナログ信号のパケットの先頭の波形の傾きに基づいて、このアナログ信号の傾きが予め定められている傾きに対して反転しているか否かを判定する処理である。
【００２８】
この判定処理に関し、図２及び図４を用いて更に詳しく説明すると、図４に示す場合と同様にトランシーバ側を生体１００に向けて装着した場合には、生体１００に正しい向きの電界が誘起される。この電界を仮にアナログ信号に変換した場合には、図２（ａ）に示すような波形となり、その後に信号処理回路１１５で信号処理された場合には図２（ｂ）に示すような波形となる。この図２（ｂ）に示す波形は、パケットの先頭の波形が負の傾き（下に凸の波形）となっているため、このパケットの先頭の波形の傾きを検出して負の傾きの場合には、人間が正しい方向でトランシーバ３１を装着していることが判明する。逆に、図４に示す場合とは逆にウェアラブルコンピュータ１側を生体１００に向けて装着した場合には、生体１００に逆位相の電界が誘起される。この電界を仮にアナログ信号に変換した場合には、図２（ｃ）に示すような波形となり、その後に信号処理回路１１５で信号処理された場合には図２（ｄ）に示すような波形となる。この図２（ｄ）に示す波形は、パケットの先頭の波形が正の傾き（上に凸の波形）となっているため、このパケットの先頭の波形の傾きを検出して正の傾きの場合には、人間が逆方向でトランシーバ３１を装着していることが判明する。
【００２９】
また、制御信号発生部１７は、上記データ反転判定部１５による判定結果に基づいて選択部１３の選択処理を制御するための制御信号を発生する信号発生回路により構成されている。そして、データ反転判定部１５から正しい電界である旨の判定結果が出た場合には、波形整形回路１１７から選択部１３へ直接出力されたデジタル信号を選択するための制御信号を発生させて、選択部１３に出力する。また、データ反転判定部１５から逆位相の電界である旨の判定結果が出た場合には、波形整形回路１１７から反転回路１１を介して選択部１３へ出力された反転デジタル信号を選択するための制御信号を発生させて、選択部１３に出力する。
【００３０】
続いて、本実施形態に係るトランシーバ３１の動作について説明する。尚、ここでは、図４に示す場合とは逆にウェアラブルコンピュータ１側を生体１００に向けて装着された別のトランシーバから情報が送信されてきた場合について説明する。
【００３１】
まず、送信側のトランシーバによって生体１００へ図２（ｃ）に示す逆位相の電界が誘起されると、受信側のトランシーバ３１では、受信電極１１１によって逆位相の電界を受信する。そして、電界検出光学部１１０で電界を検出し、この電界を受信情報として電気信号（アナログの電圧信号）に変換する。
【００３２】
次に、信号処理回路１１５で増幅及び雑音除去等の信号処理を行い、波形整形回路１１７及びデータ反転判定部１５に出力する。この出力されたアナログの電圧信号は、図２（ｄ）に示すように、パケットの先頭の波形の傾きが上に凸となっている。このアナログの電圧信号は、波形整形回路１１７で波形整形を施され、デジタル信号に変換されてから選択部１３及び反転回路１１に出力される。これにより、反転回路１１ではデジタル信号の波形を反転し、この反転デジタル信号を選択部１３に出力することができる。
【００３３】
一方、データ反転判定部１５では、信号処理回路１１５から出力されたアナログの電圧信号のパケットの先頭の波形の傾きに基づいて、この電圧信号の波形の傾きが予め定められている傾きに対して反転しているか否かを判定する。ここでは、図２（ｄ）に示す波形となるため、逆位相電界を受信したと判定することになる。これにより、制御信号発生部１７では、反転回路１１から出力された電気信号（デジタルの電圧信号）を選択する旨の制御信号を発生して、選択部１３に出力する。
【００３４】
最後に、選択部１３では、制御信号発生部１７からの制御信号に基づいて、反転回路１１を介して入力された反転デジタル信号を選択し、Ｉ／Ｏ回路１０１を介してウェアラブルコンピュータ１に出力する。
【００３５】
以上説明したように本実施形態によれば、生体１００に誘起された電界に係る電気信号のパケットの先頭の波形の傾きが反転しているか否かを判定し、反転している場合には、反転させた電気信号をウェアラブルコンピュータ１へ出力することで、常に正しい向きの電界を受信した場合と同じように情報の受信処理を行うことができる。これにより、トランシーバの使用者は、送信のためにトランシーバによって誘起される電界の向きを気にしないで使用することができるという効果を奏する。
【００３６】
〔第２の実施形態〕
以下、図２及び図３を用いて、本発明の第２の実施形態について説明する。図３は、第２の実施形態に係るトランシーバ３２の全体構成図である。尚、上記第１の実施形態と同一の構成又は機能については同一の符号を付して、その説明を省略する。
【００３７】
図３に示すように、トランシーバ３２は、データ反転判定部１５、Ｉ／Ｏ（入出力）回路１０１、送信部１０３、送信電極１０５、絶縁膜１０７，１０９、受信電極１１１、信号処理回路１１５、波形整形回路１１７を有している点では、上記第１の実施形態と同様である。また、トランシーバ３２は、第１の実施形態に係る制御信号発生部１７、電界検出光学部１１０の変形例としての制御信号発生部１７’、電界検出光学部１１０’を有している点で異なっているため、これらについて説明する。
【００３８】
本実施形態に係る電界検出光学部１１０’は、図６に示す従来の電界検出光学部１１０と同様に、レーザダイオード１２１、電気光学素子１２３、第１電極１２５、第２電極１２７、グランド電極１３１、偏光検出光学系１４０、光電気変換部１４３によって構成されている。このうち、偏光検出光学系１４０は、図６における偏光ビームスプリッタ１３９、並びに第１及び第２の集光レンズ１４１ａ，ｂに相当する。また、光電気変換部１４３は、第１及び第２のフォトダイオード１４３ａ，ｂに相当する。尚、図３では、図面の大きさの関係上、図６に示す全ての構成を表すことができないが、実際には図６に示す構成要素を全て有している。
【００３９】
図３に示すように、本実施形態に係る電界検出光学部１１０’には、新たに接続切り替えスイッチ２１が設けられている。この接続切り替えスイッチ２１は、第１電極１２５、第２電極１２７のうち一方を受信電極１１１に接続させ、他方をグランド電極１３１に接続させるためのスイッチである。この接続切り替えスイッチ２１によって、第１電極１２５と受信電極１１１を接続すると共に第２電極１２７とグランド電極１３１を接続するパターンと、第１電極１２５とグランド電極１３１を接続すると共に第２電極１２７と受信電極１１１を接続するパターンの切り替えが可能となる。
【００４０】
また、制御信号発生部１７’は、上記第１の実施形態に係る制御信号発生部１７と同様にデータ反転判定部１５による判定結果に基づいて制御信号を発生させる点は同じであるが、制御信号の内容及び制御信号の出力先が異なる。即ち、制御信号発生部１７’は、データ反転判定部１５による判定結果に基づいて接続切り替えスイッチ２１の切替処理を制御するための制御信号を発生する信号発生回路により構成されている。そして、データ反転判定部１５から正しい電界である旨の判定結果が出た場合には、図６に示す状態で良いため、第１電極１２５と受信電極１１１（信号電極１２９）を接続させると共に第２電極１２７とグランド電極１３１を接続させるための制御信号を発生させて、接続切り替えスイッチ２１に出力する。また、データ反転判定部１５から逆位相の電界である旨の判定結果が出た場合には、第１電極１２５とグランド電極１３１を接続させると共に第２電極１２７と受信電極１１１（信号電極１２９）を接続させるための制御信号を発生させて、接続切り替えスイッチ２１に出力する。
【００４１】
続いて、本実施形態に係るトランシーバ３２の動作について説明する。尚、ここでは、上記第１の実施形態と同様に、図４に示す場合とは逆にウェアラブルコンピュータ１側を生体１００に向けて装着された別のトランシーバから情報が送信された場合について説明する。また、接続切り替えスイッチ２１は、図６に示す状態と同様に、予め第１電極１２５と受信電極１１１（信号電極１２９）を接続させると共に第２電極１２７とグランド電極１３１を接続させるように切り替えられている。
【００４２】
まず、送信側のトランシーバによって生体１００へ図２（ｃ）に示す逆位相の電界が誘起されると、受信側のトランシーバ３２では、受信電極１１１によって逆位相の電界を受信する。そして、電界検出光学部１１０’で電界を検出し、この電界を受信情報として電気信号（アナログの電圧信号）に変換する。
【００４３】
次に、信号処理回路１１５で増幅及び雑音除去等の信号処理を行い、波形整形回路１１７及びデータ反転判定部１５に出力する。この出力されたアナログの電圧信号は、図２（ｄ）に示すように、パケットの先頭の波形の傾きが上に凸となっている。
【００４４】
次に、データ反転判定部１５では、信号処理回路１１５から出力されたアナログの電圧信号のパケットの先頭の波形の傾きに基づいて、この電圧信号の波形の傾きが予め定められている傾きに対して反転しているか否かを判定する。ここでは、図２（ｄ）に示す波形となるため、逆位相電界を受信したと判定することになる。これにより、制御信号発生部１７’では、接続切り替えスイッチ２１の接続を切り替える旨の制御信号を発生して、接続切り替えスイッチ２１に出力する。
【００４５】
次に、接続切り替えスイッチ２１では、制御信号発生部１７’からの制御信号に基づいて、第１電極１２５と受信電極１１１を接続すると共に第２電極１２７とグランド電極１３１を接続するパターンから、第１電極１２５とグランド電極１３１を接続すると共に第２電極１２７と受信電極１１１を接続するパターンにスイッチを切り替える。これにより、第１電極１２５から第２電極１２７の方向に向いていた電界が、第２電極１２７から第１電極１２５に向くことになる。よって、偏光検出光学系１４０及び光電気変換部１４３を介し信号処理回路１１５から出力されたアナログの電圧信号は、図２（ｂ）に示すように、パケットの先頭の波形の傾きが下に凸となっている。
【００４６】
最後に、波形整形回路１１７で、図２（ｂ）に示すような波形のアナログの電圧信号を波形整形して、デジタルの電圧信号に変換し、Ｉ／Ｏ回路１０１を介してウェアラブルコンピュータ１に送信する。
【００４７】
以上説明したように本実施形態によれば、生体１００に誘起された電界に係る電気信号のパケットの先頭の波形の傾きが反転しているか否かを判定し、反転している場合には、電気光学素子１２３に設けられている第１電極１２５と第２電極１２７の役割を代えるようにフィードバック制御することで、常に正しい向きの電界を受信した場合と同じように情報の受信処理を行うことができる。これにより、トランシーバの使用者は、送信のためにトランシーバによって誘起される電界の向きを気にしないで使用することができるという効果を奏する。
【００４８】
尚、上記各実施形態では、信号処理回路１１５で信号処理した後のアナログの電圧信号に基づいて波形の傾きが反転しているか否かを判定したが、これに限るものではなく、信号処理回路１１５で信号処理する前、又は波形整形回路１１７で波形整形を施した後に判定してもよい。但し、波形整形回路１１７で波形整形を施した後は、デジタル信号に変換されているため、波形の傾きに基づいて判定するのではなく、「０」、「１」の信号に基づいて判定することになる。
【００４９】
また、上記各実施形態では、送信電極１０５と受信電極１１１を別個の電極としたが、これに限るものではなく、一つの電極として形成し、送受信電極としてもよい。
【００５０】
更に、上記各実施形態では、情報の送受信が可能なトランシーバについて説明したが、これに限るものではなく、常に正しい向きの電界を受信した場合と同じように情報の受信処理を行うことができれば、受信専用のトランシーバであってもよい。
【００５１】
【発明の効果】
以上説明したように本発明によれば、生体に誘起された電界に係る電気信号の波形の傾きが反転しているか否かを判定し、反転している場合には、反転させた電気信号をウェアラブルコンピュータ１へ出力することで、常に正しい向きの電界を受信した場合と同じように情報の受信処理を行うことができる。これにより、トランシーバの使用者は、トランシーバによって誘起される電界の向きを気にしないで使用することができるという効果を奏する。
【図面の簡単な説明】
【図１】本発明の第１の実施形態に係るトランシーバ３１の全体構成図。
【図２】図２（ａ）は、生体１００に誘起した送信用の電界に係る電気信号の波形を示した図。
図２（ｂ）は、図２（ａ）に示した電気信号を信号処理した後に出力された電気信号の波形を示した図。
図２（ｃ）は、図２（ａ）に示した電界とは逆位相の電界に係る電気信号の波形を示した図。
図２（ｄ）は、図２（ｃ）に示した電気信号を信号処理した後に出力された電気信号の波形を示した図。
【図３】本発明の第２の実施形態に係るトランシーバ３２の全体構成図。
【図４】人体（生体１００）を介して複数のウェアラブルコンピュータ間通信を行う場合のイメージ図。
【図５】人体（生体１００）を介したデータ通信を行うために用いる従来のトランシーバ３’の全体構成図。
【図６】従来のトランシーバ３’内の電界検出光学部１１０の詳細な構成を示した構成図。
【図７】トランシーバから誘起された電界の向きを示した図。
【符号の説明】
１　ウェアラブルコンピュータ
３１　（第１の実施形態に係る）トランシーバ
３２　（第２の実施形態に係る）トランシーバ
３’　従来のトランシーバ
１１　反転回路〔反転手段の一例〕
１３　選択部〔選択手段の一例〕
１５　データ反転判定部〔反転判定手段の一例〕
１７　制御信号発生部〔選択制御手段の一例〕
１７’　制御信号発生部〔接続切替制御手段の一例〕
２１　接続切り替えスイッチ〔接続切替手段の一例〕
１１０　電界検出光学部〔電界検出手段の一例〕
１１５　信号処理回路〔信号処理手段の一例〕
１２３　電気光学素子〔電気光学手段の一例〕
１２５　第１電極
１２７　第２電極
１４０　偏光検出光学系〔偏光検出光学手段の一例〕
１４３　光電気変換部〔光電気変換手段の一例〕
１４０　偏光検出光学系〔偏光検出光学手段の一例〕
【図１】
2004134996.tif 000003
【図２】
2004134996.tif 000004
【図３】
2004134996.tif 000005
【図４】
2004134996.tif 000006
【図５】
2004134996.tif 000007
【図６】
2004134996.tif 000008
【図７】
2004134996.tif 000009